(57)【要約】      （修正有）【課題】電車などの交通機関の車内で着席したときの傘の転倒防止と結果的な傘の置き忘れ防止を図るため、収納帯を、鞄／バッグの外側の底部または側面にワンタッチで装備できるようにしたアセンブル収納帯を提供する。【解決手段】裏面に粘着面をもつ柔軟性のある素材でできた基部帯７０と前記基部帯の表面に配置される収納帯３０，４０とから構成される。前記基部帯の表面の中央部分に前記収納帯の固定部が固定され、前記固定部から左右に出ている収納帯の一方の先端部分の裏側に雄型のタッチ・クローズファスナー５１を取り付け、他方の前記収納帯の裏側に雌型タッチ・クローズファスナー５２を取り付け、それぞれのタッチ・クローズファスナーに対する受けのタッチ・クローズファスナーを前記基部帯の表面に備えて、傘の収納機能が果たせるようにする。【選択図】図３
0003170693.tif 000002
【実用新案登録請求の範囲】
【請求項１】
傘の転倒防止のために用いるアセンブル収納帯であって、鞄／バッグの外側の底部または側面に接着して装備されることに特徴を有するアセンブル収納帯。
【請求項２】
請求項１に記載のあるアセンブル収納帯であって、裏面に粘着面をもつ柔軟性のある素材でできた基部帯と前記基部帯の表面に配置される収納帯とから構成され、前記基部帯の表面の中央部分に前記収納帯の固定部が固定され、前記固定部から左右に出ている収納帯の一方の先端部分の裏側に雄型のタッチ・クローズファスナーを取り付け、他方の前記収納帯の裏側に雌型タッチ・クローズファスナーを取り付け、それぞれのタッチ・クローズファスナーに対する受けのタッチ・クローズファスナーを前記基部帯の表面に備えて、傘の収納機能が果たせるように、当初から必要な部品を整えて完成していることに特徴を有するアセンブル収納帯。
【考案の詳細な説明】
【技術分野】
【０００１】
傘の収納手段に関する。
【背景技術】
【０００２】
電車などの車内で着席中に濡れた傘の置き場所に困り、手などで押さえつけなければならないという不都合を解消するための技術が公開されている（例えば、特許文献１を参照。）。この特許文献１に記載されている技術によれば、プラスチック・木・金属で，傘の受け部分が作られ、他方磁石が組み込まれている。
【０００３】
多目的に使える外付収納具のついたバッグに関する技術が公開されている（例えば、特許文献２を参照。）。この特許文献２に記載されている技術によれば、バッグの底部にマジックテープ（登録商標）の雌部を接続しておき、マジックテープの雄部を接続した別の繊維に用意し、座った状態で傘の先端を床に置き、傘をマジックテープの雄部を接続した繊維で挟み込む要領でバッグ底部マジックテープ雌部に傘の左右にて接着する。
【０００４】
さらに、傘たて機能つきバッグに関する技術が公開されている（例えば、特許文献３を参照。）。この特許文献３に記載されている技術によれば、バッグ中央下部に基部プレートを設ける。
【先行技術文献】
【特許文献】
【０００５】
【特許文献１】実開平６−２９４７６公報（第７頁）
【特許文献２】特開２００２−２７２５１７号公報（第６頁）
【特許文献３】特開２００５−６６２６６号公報（第１頁）
【考案の概要】
【考案が解決しようとする課題】
【０００６】
鞄やバックを持って、雨の日に電車などの交通機関の車内で着席したとき、雨に濡れた傘の扱いは厄介である。通常はひざに置いた鞄越しに傘を支えることとなる。鞄の底部に立て掛けるだけでは、往々にして傘は転倒する。
【０００７】
着席した脇に手すりがあれば、それに引っ掛けることもあり、結果として、車内置忘れ傘が発生することにつながる。
【０００８】
本考案の目的は、鞄やバッグと傘とを持って車内で着席した時の，傘の転倒防止と結果的な傘の置き忘れ防止の手段を提供することにある。
【課題を解決するための手段】
【０００９】
上記問題を解決するために、請求項１に記載する考案は、傘の転倒防止のために用いるアセンブル収納帯であって、鞄／バッグの外側の底部または側面に接着して装備されることを要旨とする。
【００１０】
上記問題を解決するために、請求項２に記載する考案は、請求項１に記載のあるアセンブル収納帯であって、裏面に粘着面をもつ柔軟性のある素材でできた基部帯と前記基部帯の表面に配置される収納帯とから構成され、前記基部帯の表面の中央部分に前記収納帯の固定部が固定され、前記固定部から左右に出ている収納帯の一方の先端部分の裏側に雄型のタッチ・クローズファスナーを取り付け、他方の前記収納帯の裏側に雌型タッチ・クローズファスナーを取り付け、それぞれのタッチ・クローズファスナーに対する受けのタッチ・クローズファスナーを前記基部帯の表面に備えて、傘の収納機能が果たせるように、当初から必要な部品を整えて完成していることを要旨とする。
【考案の効果】
【００１１】
本考案によれば、雨の日に車中の椅子に座って、鞄やバッグをひざに乗せた状態で鞄やバッグ越しに濡れた傘を手で支える代わりに、傘を直立した状態で支持することができる。
【００１２】
本考案によれば、鞄やバッグの外側の底部、または側面に、アセンブル収納帯を基部体の裏の粘着面によってワンタッチで接着することができ、アセンブル収納帯を鞄やバッグに容易に装備できる。
【００１３】
本考案によれば、アセンブル収納帯は薄く、柔軟性のある素材で出来ている平面体なので、鞄やバックの底面または側面形状に影響を与えずに、また鞄やバックの底面または側面形状から影響を受けずに備え付けることができる。
【図面の簡単な説明】
【００１４】
【図１】アセンブル収納帯を取り付けた状態を示す鞄の外側底面図
【図２】アセンブル収納帯の構造を示す鞄の側面図
【図３】アセンブル収納帯の機能を示す鞄の側面図
【実施例】
【００１５】
本考案に係る実施例を、図に従って説明する。図１に示されるように、収納帯１０が鞄の基部帯７０の表面中央部分に、固定部２０によって固定され、左収納帯３０と右収納帯４０が配置され、それらの先端部分の裏に取り付けてあるタッチ・クローズファスナーによって留まっている。
【００１６】
図２に示されるように、基部帯７０は裏面の接着面によって鞄／バッグの底部６０に取り付けられている。左収納帯３０の先端部分の裏側には雄型タッチ・クローズファスナー５１が取り付けられている。それを受ける雌型タッチ・クローズファスナー５２が鞄の基部帯７０に取り付けられている。一方、右収納帯４０の先端部分の裏側には、雌型タッチ・クローズファスナー５２が取り付けられている。それを受ける雄型タッチ・クローズファスナー５１が鞄の基部帯７０上に取り付けられている。
【００１７】
図３に示されるように、直立状態の傘を収納するために、左収納帯３０は、雌型タッチ・クローズファスナー５２からはがされ、直立状態の傘を囲い込むように配置される。一方右収納帯４０は、雄型タッチ・クローズファスナー５１からはがされ、一度ねじってから直立状態の傘を囲い込むように配置される。こうすることで、左収納帯３０の先端部分に取り付けてある雄型タッチ・クローズファスナー５１と右収納帯４０の先端部分に取り付けてある雌型タッチ・クローズファスナー５２が向かい合う形で接合することができ、傘をしばりつけるように収納する。
【符号の説明】
【００１８】
１０  収納帯
２０  固定部
３０  左収納帯
４０  右収納帯
５１  雄型タッチ・クローズファスナー
５２  雌型タッチ・クローズファスナー
６０  鞄／バッグの底部
７０  基部帯
【図１】
0003170693.tif 000003
【図２】
0003170693.tif 000004
【図３】
0003170693.tif 000005
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
傘の転倒防止のために用いるアセンブル収納帯であって、裏面に粘着面をもつ柔軟性のある素材でできた基部帯と前記基部帯の表面に配置される収納帯とから構成され、前記基部帯の表面の中央部分に前記収納帯の固定部が固定され、前記固定部から左右に出ている収納帯の一方の先端部分の裏側に雄型のタッチ・クローズファスナーを取り付け、他方の前記収納帯の裏側に雌型タッチ・クローズファスナーを取り付け、それぞれのタッチ・クローズファスナーに対する受けのタッチ・クローズファスナーを前記基部帯の表面に備えて、傘の収納機能が果たせるように、当初から必要な部品を整えて完成しており、鞄／バッグの外側の底部または側面に接着して装備されることに特徴を有するアセンブル収納帯。
【手続補正２】
【補正対象書類名】明細書
【補正対象項目名】０００９
【補正方法】変更
【補正の内容】
【０００９】
上記問題を解決するために、請求項１に記載する考案は、傘の転倒防止のために用いるアセンブル収納帯であって、裏面に粘着面をもつ柔軟性のある素材でできた基部帯と前記基部帯の表面に配置される収納帯とから構成され、前記基部帯の表面の中央部分に前記収納帯の固定部が固定され、前記固定部から左右に出ている収納帯の一方の先端部分の裏側に雄型のタッチ・クローズファスナーを取り付け、他方の前記収納帯の裏側に雌型タッチ・クローズファスナーを取り付け、それぞれのタッチ・クローズファスナーに対する受けのタッチ・クローズファスナーを前記基部帯の表面に備えて、傘の収納機能が果たせるように、当初から必要な部品を整えて完成しており、鞄／バッグの外側の底部または側面に接着して装備されることを要旨とする。
【手続補正３】
【補正対象書類名】明細書
【補正対象項目名】００１０
【補正方法】削除
【補正の内容】